(57)【要約】【課題】映像表示装置において、前枠へ表示パネルを取付ける際の固定用部材を簡素化して部品点数を低減する。また前枠の前面上側を薄くし、背面上側で取付けネジなどの固定部材が見えないようにすることで、デザイン性を向上する。【解決手段】前枠の上辺側の裏側に前枠と一体で作成されたフックを設け、表示パネルを位置決めする。前枠の上辺側はネジ止めをせずに、前記フックの作用で表示パネルの前枠からの脱落を防ぐ。バックカバーの前記フックに対向する部分にバックカバーと一体で作成されたリブを設け、前記フックが所定以上に移動しないようにして表示パネルの位置決めを強化する。【選択図】図３
2011180237.tif 000002
【特許請求の範囲】
【請求項１】
映像を表示する表示パネルと、該表示パネルが取付けられる前枠と、該前枠に取付けられ前記表示パネルの背面側をカバーするバックカバーを有する映像表示装置であって、
前記前枠は、前記表示パネルの上辺において前記表示パネルを位置決めするフックを有することを特徴とする映像表示装置。
【請求項２】
請求項１に記載の映像表示装置であって、前記フックは、前記表示パネルの上辺の一部と前記表示パネルの厚さ方向に対向し、先端部が前記表示パネルの背面の一部に対向して、前記表示パネルを位置決めすることを特徴とする映像表示装置。
【請求項３】
請求項１に記載の映像表示装置であって、前記フックは、前記前枠と一体で成形されることを特徴とする映像表示装置。
【請求項４】
請求項１に記載の映像表示装置であって、前記バックカバーは、前記フックの前記表示パネルの厚さ方向に対向する面とは反対側の面に対向するリブを有することを特徴とする映像表示装置。
【請求項５】
請求項４に記載の映像表示装置であって、前記リブは、前記バックカバーと一体で成形されることを特徴とする映像表示装置。
【発明の詳細な説明】
【技術分野】
【０００１】
本発明は映像表示装置に係り、特に部品点数を低減した映像表示装置に関するものである。
【背景技術】
【０００２】
表示部に液晶パネルやプラズマディスプレイパネルを用いた映像表示装置においては、大型化と薄型化が進められている。また市場から低価格化への要求が強いため、これらと並行して部品点数の低減や製造方法の簡素化が進められている。
特許文献１は、薄型表示装置の部品点数の低減と製造方法の簡素化のため、表示パネルを含む光学表示システムユニットが一体に形成された取付けタブを有し、取付けタブを前キャビネットと後ろキャビネットに挟持してネジ止めする組立て方法を開示している。
【先行技術文献】
【特許文献】
【０００３】
【特許文献１】特開２００７−３３３９１１号公報
【発明の概要】
【発明が解決しようとする課題】
【０００４】
最近の映像表示装置においては、装置の前面から見た際に表示部の周辺にある外装のフレーム部は薄いことが望まれている。このため、表示部を外装に内側から取付けるための構成要素は、簡素であることが要求される。これは前記した部品点数を低減する効果にもつながる。特に、前枠の上側が薄い（高さが低い）ことはデザインの観点からも重要であり、例えばネジ止め用の部材などは、この部分に配置しないことが望ましい。
またデザインの観点から、映像表示装置の前面はもちろんのこと背面においても、外装の上辺部では取付けネジなどの固定用部材は、外から見えないことが望まれている。
【０００５】
前記特許文献１に示されたネジ止めによる表示部と外装の固定方法は、上記の点については考慮されていない。
本発明の目的は前記した課題に鑑み、部品点数を低減し、映像表示装置の低コスト化とデザイン性の向上に好適な技術を提供することにある。
【課題を解決するための手段】
【０００６】
本発明は、映像を表示する表示パネルと該表示パネルが取付けられる前枠と該前枠に取付けられ前記表示パネルの背面側をカバーするバックカバーを有する映像表示装置であって、前記前枠は、前記表示パネルの上辺において前記表示パネルを位置決めするフックを有することを特徴としている。
また本発明は、前記した映像表示装置であって、前記フックは、前記表示パネルの上辺の一部と前記表示パネルの厚さ方向に対向し、先端部が前記表示パネルの背面の一部に対向して、前記表示パネルを位置決めすることを特徴としている。
【０００７】
また本発明は、前記した映像表示装置であって、前記フックは、前記前枠と一体で成形されることを特徴としている。
また本発明は、前記した映像表示装置であって、前記バックカバーは、前記フックの前記表示パネルの厚さ方向に対向する面とは反対側の面に対向するリブを有することを特徴としている。
また本発明は、前記した映像表示装置であって、前記リブは、前記バックカバーと一体で成形されることを特徴としている。
【発明の効果】
【０００８】
本発明によれば、部品点数を低減した映像表示装置を提供でき、映像表示装置の低コスト化とデザイン性の向上に寄与することができるという効果がある。
【図面の簡単な説明】
【０００９】
【図１】本発明の一実施例における映像表示装置の正面斜視図である。
【図２】本発明の一実施例における映像表示装置の背面斜視図である。
【図３】本発明の一実施例における映像表示装置の別の背面斜視図である。
【図４】本発明の一実施例における映像表示装置の部分断面図である。
【発明を実施するための形態】
【００１０】
以下、本発明の実施例につき図面を用いて説明する。
図１は、本発明の一実施例における映像表示装置の正面斜視図である。表示パネル１は液晶パネルまたはプラズマパネルを備えており、ここでは映像の表示面側を示している。映像表示装置の外装は、前枠２とバックカバー３を有している。映像表示装置を組立てる際は、表示パネル１を前枠２に取付けた後、バックカバー３を前枠２に取付けるようにしている。
【００１１】
図２は、本発明の一実施例における映像表示装置の背面斜視図であり、図１の左側から描いている。
本実施例ではバックカバー３を前枠２に取付ける際に、バックカバー３の図２における右辺側において、取付けネジ３１１、３１２、３１３で固定している。もちろん同様な取付けネジがバックカバー３の左辺や下辺側にあって良いが、上辺側には存在しないことが本実施例の一つの特徴となっている。このため、外装の上辺側では取付けネジなどの固定用部材がなく、前記したデザイン上の要求を満たすことができる。また、前枠２の上辺側にはネジ止め用の部材が不要となって部品点数の削減につながり、前枠２の上辺側を薄く（高さを低く）することができ、やはり前記したデザイン上の要求を満たすことができる。なお、バックパネル３の右辺側における取付けネジ３１１、３１２、３１３を三個示したのは一例であり、当然ながら本実施例の限定条件ではない。
【００１２】
図３は、本発明の一実施例における映像表示装置の別の背面斜視図であり、図２の背面斜視図に対して、取付けネジ３１１、３１２、３１３をはじめとするバックカバー３の固定要素が取外され、バックカバー３が斜め左手前側に移動された状態を示している。
表示パネル１は前枠２に取付けられた状態で、その背面側が示されている。図３において、表示パネル１はその下辺側、左辺側や右辺側での前枠２に対する固定方法は、本実施例では特定されない。例えば前枠２において、表示パネル１の下辺側を支える位置決め部材を設け、これに表示パネル１を搭載したうえで、表示パネル１の下辺側、左辺側や右辺側の所定の場所で前枠２に設けられたボスにネジ止めなどして固定すれば良い。前記したように、表示パネル１の上辺側ではネジ止めによる固定は行わない。
【００１３】
しかし、表示パネル１の上辺側においても、前枠２の上辺側の厚みが問題にならない方法で位置決めする必要がある。この位置決めがない場合には、表示パネル１が前枠２にネジ止めされていない状態では表示パネル１が前枠２から脱落し、組立て時や事後のサービス時に不具合を生じる。本実施例では、次に述べる方法で表示パネル１の上辺側の位置決めをすることを、一つの特徴としている。
図３は、丸印で囲った箇所の部分拡大図を併せて示している。例えば前枠２がモールド成形で作成される場合、フック２０１を前枠２と一体で作成する。表示パネル１が前枠２に取付けられる際には、フック２０１が表示パネル１で押上げられた後、先端部がバネ力により表示パネル１の背面側に入り込む。これにより、表示パネル１が前枠２から脱落することのないよう、概略の位置決めがされる。フック２０１は、表示パネル１の上辺の一部において表示パネル１の厚さ方向に対向し、また先端部が表示パネル１の背面の一部において対向している。なお、図３ではフック２０１を二個示しているが、これも限定条件ではない。
【００１４】
従来は、表示パネル１の四辺を固定するため、前枠２に別の固定用部材をネジ止めすることがあったが、前記したようにネジを使う方法は前枠２の四辺を厚くする問題がある。これに対し本実施例では、この固定用部材に代わる前記フック２０１を前枠２と一体で作成しているので、部品点数の低減をして低価格化をするとともに前枠（特に上辺側）を薄くし、さらにサービス性を向上する効果がある。
【００１５】
図４は、本発明の一実施例における映像表示装置の部分断面図であり、映像表示装置の右側から見たフック２０１周辺の断面を示している。ここでは、バックカバー３を前枠２に取付けた状態で描いている。
表示パネル１は前枠２の有するフック２０１で位置決めされている。なお、パネル１とフック２０１は必ずしも直接接触しなくとも良く、フック２０１の先端部が表示パネル１の背面に入り込めば良い。本実施例の一つの特徴として、バックカバー３のフック２０１と対向する位置にリブ３０１が設けられている。即ちフック２０１は、表示パネル１の厚さ方向に対向する面とは反対側の面において、リブ３０１に対向している。もちろん、リブ３０１はバックカバー３と一体で作成することができるので、部品点数を増加させる要素とはならない。リブ３０１は、バックカバー３が前枠２に取付けられた後は、フック２０１が所定以上に上側へ移動しないように作用している。このため、振動や衝撃によって表示パネル１がフック２０１から外れて表示パネル１が脱落することを防止し、更には表示パネル１の所定位置への位置決めも強化できる。なお、フック２０１とリブ３０１は必ずしも直接接触しなくとも良く、フック２０１の先端部が所定以上に上側へ移動しないようにすれば良い。
【００１６】
ここまで示した実施形態は一例であって、本発明を限定するものではない。本発明の趣旨に基づきながら異なる実施形態を考えられるが、いずれも本発明の範疇にある。
【符号の説明】
【００１７】
１：表示パネル、２：前枠、３：バックカバー、２０１：フック、３０１：リブ、３１１，３１２，３１３：取付けネジ。
【図１】
2011180237.tif 000003
【図２】
2011180237.tif 000004
【図３】
2011180237.tif 000005
【図４】
2011180237.tif 000006